(57)【要約】【課題】携帯端末において、センサを使わずに利用者による携帯端末把持を認識し、着信通知方法を切り替えることで状況における最適な着信と着信音による周囲への迷惑防止の効果を高める。【解決手段】筐体と、無線通信を行い、着信を受ける無線通信部と、前記着信に応じて着信音を発生する発音体と、振動を発生するバイブレータと、操作されるキーと、キー操作を検出するキー操作検出部と、を備え、キー操作検出部がキー操作を検出し、かつ前記無線通信部が前記着信を受けた場合、前記発音体は着信音を発生することなく、バイブレータが振動する。【選択図】図３
2011139258.tif 000002
【特許請求の範囲】
【請求項１】
筐体と、
無線通信を行い、着信を受ける無線通信部と、
前記着信に応じて着信音を発生する発音体と、
振動を発生するバイブレータと、
操作されるキーと、
キー操作を検出するキー操作検出部と、を備え、
キー操作検出部がキー操作を検出し、かつ前記無線通信部が前記着信を受けた場合、前記発音体は着信音を発生することなく、バイブレータが振動する携帯端末。
【請求項２】
請求項１に記載の携帯端末であって、
前記筐体は、第１筐体と、第２筐体と、前記第1筐体と前記第2筐体を回動自在に連結するヒンジ部とを含み、
前記第1筐体と前記第2筐体の開閉を検出する開閉検出部とを更に備え、
前記キー操作部がキー操作を検出するか又は前記開閉検出部が開いたことを検出するかした場合で、かつ前記無線通信部が前記着信を受けた場合、前記発音体は着信音を発生することなく、バイブレータが振動する携帯端末。
【請求項３】
請求項1に記載の携帯端末であって、
前記筐体は、第１筐体と、前記第１筐体に対してスライドする第２筐体と、を含み、
前記第１筐体と前記第２筐体の開閉を検出する開閉検出部とを更に備え、
前記キー操作部がキー操作を検出するか又は前記開閉検出部が開いたことを検出するかした場合で、かつ前記無線通信部が前記着信を受けた場合、前記発音体は着信音を発生することなく、バイブレータが振動する携帯端末。
【請求項４】
請求項２又は請求項３に記載の携帯端末であって、
前記開閉検出部が閉じたことを検出しかつ前記無線通信部が着信を受けた場合、着信音を発生する携帯端末。
【請求項５】
請求項１から請求項４のいずれかに記載の携帯端末であって、
前記キー操作検出部がキー操作を検出してから、又は前記開閉検出部が開いたことを検出してから所定の時間経過後に、前記無線通信部が前記着信を受けた場合、着信音を発生する携帯端末。
【請求項６】
請求項５に記載の携帯端末であって、
表示部と、
前記表示部に映像を表示する映像表示部と、を備え、
前記所定の時間は、前記映像表示部が映像を表示しない場合は第１の所定時間であり、
前記映像表示部が映像を表示する場合は第２の所定時間であって、
前記第１の所定時間は前記第２の所定時間より長い携帯端末。
【請求項７】
請求項６に記載の携帯端末であって、
前記表示部は第１の表示領域と、
前記第１の表示領域より大きい第２の表示領域を備え、
前記映像表示部が前記第１の表示領域に映像を表示する場合、
前記第２の所定時間を第３の所定時間とし、
前記映像表示部が前記第２の表示領域に映像を表示する場合の前記第２の所定時間を第４の所定時間とし、
前記第３の所定時間は前記第４の所定時間より短い携帯端末。
【請求項８】
請求項１から請求項７のいずれかに記載の携帯端末であって、
前記着信が通話による通話着信であるか、又はメールによるメール着信である携帯端末。
【発明の詳細な説明】
【技術分野】
【０００１】
本発明は、利用者の使用状態に応じて着信通知手段を切り替える携帯端末に関するものである。
【背景技術】
【０００２】
携帯端末において、着信通知方法を着信音再生にしておくと、バスや電車、映画館、博物館、美術館、劇場、会議室といった静粛が要求される公共機関において着信があった場合、大音量の鳴動音で周囲に迷惑になってしまう。
【０００３】
着信鳴動音による迷惑を回避するため、マナーモードに設定してバイブレータによる着信通知方法にすることができる。しかし、都度手動で設定する必要があるため、マナーモード設定を忘れてしまいがちである。また、設定忘れを防止するために常にマナーモードに設定している利用者が多く、状況によった最適な着信通知ができていない。
【先行技術文献】
【特許文献】
【０００４】
【特許文献１】特開２００２−１１１７８９号公報
【特許文献２】特開２００６−０８０９４６号公報
【発明の概要】
【発明が解決しようとする課題】
【０００５】
周囲への着信音による迷惑防止と利用者の状況に応じた最適な着信通知を実現するために、利用者の携帯端末使用状況に応じて着信通知方法の設定を行う提案がある。その中で、利用者が携帯端末を把持しているときにはマナーモードに設定して、バイブレータによる着信通知方法にするものがある。（特許文献１、特許文献２）
特許文献１は接触センサを利用して携帯端末を手に取ったときに、着信通知方法をバイブレータによる通知か小音量による通知へ切り替える携帯端末に関するものである。
【０００６】
特許文献２は上筐体受話部、および下筐体側面部に配置された脈拍センサを利用して人体所持を検知し、着信通知方法をバイブレータによる通知かミュートに切り替える携帯端末に関するものである。
【０００７】
しかしながら、搭載されたセンサで携帯端末の把持を判断し、バイブレータによる着信通知方法ではセンサを携帯端末全体に搭載しない限り利用者の把持の仕方によっては正しく判断できない場合が考えられる（図１）。
【０００８】
図１（ａ）のワンセグなどの映像視聴時にヒンジ部分のみ持つ場合、ヒンジ部分のセンサ搭載が困難であり、正確に把持を認識できない。
【０００９】
図１（ｂ）の両手で操作をするときには、片手で握るよりも接触面積が狭く、センサの位置によっては正確に把持を認識できない。
【００１０】
図１（ｃ）や図１（ｄ）のようにワンセグ視聴、カメラ撮影時に側面部の一部のみ持つ場合、薄型化が進む携帯端末において、側面部全体にセンサを搭載することは困難であり、把持の正確な認識は難しいと考えられる。
【課題を解決するための手段】
【００１１】
本発明の携帯端末は、筐体と、無線通信を行い、着信を受ける無線通信部と、前記着信に応じて着信音を発生する発音体と、振動を発生するバイブレータと、操作されるキーと、  キー操作を検出するキー操作検出部と、を備え、キー操作検出部がキー操作を検出し、かつ前記無線通信部が前記着信を受けた場合、前記発音体は着信音を発生することなく、バイブレータが振動する。
【００１２】
この構成により、キー操作時は利用者の手による把持と判断して、着信があるとバイブレータが振動し、把持する手を通じて振動を感知し着信を認識することができるので、新規にセンサ実装することなく、静粛が要求される場所における着信音による周囲への迷惑を回避して着信通知を認識することができる。
【００１３】
また、本発明の携帯端末は、前記筐体は、第１筐体と、第２筐体と、前記第1筐体と前記第2筐体を回動自在に連結するヒンジ部とを含み、前記第1筐体と前記第2筐体の開閉を検出する開閉検出部とを更に備え、前記キー操作部がキー操作を検出するか又は前記開閉検出部が開いたことを検出するかした場合で、かつ前記無線通信部が前記着信を受けた場合、前記発音体は着信音を発生することなく、バイブレータが振動する。
【００１４】
この構成により、２つ折り型の端末において、携帯端末が開いたことで利用者の手にで把持された判断し、キー操作の前に着信があってもバイブレータが振動し着信を利用者に認識させるので、新規にセンサ実装することなく静粛が要求される場所における着信音による周囲への迷惑を回避して着信通知を認識することができる。
【００１５】
また、本発明の携帯端末は、前記筐体は、第１筐体と、前記第１筐体に対してスライドする第２筐体と、を含み、前記第１筐体と前記第２筐体の開閉を検出する開閉検出部とを更に備え、前記キー操作部がキー操作を検出するか又は前記開閉検出部が開いたことを検出するかした場合で、かつ前記無線通信部が前記着信を受けた場合、前記発音体は着信音を発生することなく、バイブレータが振動する。
【００１６】
この構成により、スライド型端末において、携帯端末が開いたことで利用者の手で把持された判断し、キー操作の前に着信があってもバイブレータが振動し着信を利用者に認識させるので、新規にセンサ実装することなく静粛が要求される場所における着信音による周囲への迷惑を回避して着信通知を認識することができる。
【００１７】
また、本発明の携帯端末は、前記開閉検出部が閉じたことを検出しかつ前記無線通信部が着信を受けた場合、着信音を発生する。
【００１８】
この構成により、２つ折り型端末又はスライド型端末において端末を閉じたことにより利用者の手で把持していないと判断し、利用者から離れた場所に端末があっても着信音で着信を通知するので、着信通知に気づかないことを回避することができる。
【００１９】
また、本発明の携帯端末は、前記キー操作検出部がキー操作を検出してから、又は前記開閉検出部が開いたことを検出してから所定の時間経過後に、前記無線通信部が前記着信を受けた場合、着信音を発生する。
【００２０】
この構成により、前記キー操作検出部がキー操作を検出してから、又は前記開閉検出部が開いたことを検出してから所定の時間経過更前は、利用者の手による把持と判断して、着信があるとバイブレータが継続的に振動し、バイブレータが断続的に振動することがないので、利用者は振動を認識しやすくなる。更に、端末を開いた状態のまま利用者から離れた場所に携帯端末を放置した場合にも所定時間後には着信通知を着信音に変更するので、把持と判断する端末を開いた状態においても新規にセンサを実装せずに把持をしていないことを判断し、利用者は着信通知に気づかないことを回避することができる。
【００２１】
また、本発明の携帯端末は、表示部と、前記表示部に映像を表示する映像表示部と、を備え、前記所定の時間は、前記映像表示部が映像を表示しない場合は第１の所定時間であり、前記映像表示部が映像を表示する場合は第２の所定時間であって、前記第１の所定時間は前記第２の所定時間より長い。
【００２２】
この構成により、ワンセグなどの映像視聴時には着信通知方法を着信音再生に切り替えるまでの所定時間が長くなるため、利用者がキー操作せず手で把持している状態で映像を視聴していても着信通知方法を着信音再生に切り替えないので、電車などの静粛が要求される場所におけるワンセグなどの長時間の映像視聴時に着信があっても、着信音による周囲への迷惑を回避して着信通知を認識することができる。
【００２３】
また、本発明の携帯端末は、前記表示部は第１の表示領域と、前記第１の表示領域より大きい第２の表示領域を備え、前記映像表示部が前記第１の表示領域に映像を表示する場合、前記第２の所定時間を第３の所定時間とし、前記映像表示部が前記第２の表示領域に映像を表示する場合の前記第２の所定時間を第４の所定時間とし、前記第３の所定時間は前記第４の所定時間より短い。
【００２４】
この構成により、テレビ番組情報などの文字情報閲覧や同時メール作成などが想定される第１の表示領域使用時には、画面フルサイズでの視聴が想定される第２の表示領域使用時よりもキー操作をする頻度が多いことを考慮している。着信通知方法を着信音再生に変更するまでの所定時間を表示領域によって制御することで、より正確に利用者の把持判断をして静粛が必要な場所においても着信時に着信音による周囲への迷惑を回避して着信通知を認識することができる。
【００２５】
また、本発明の携帯端末は、前記着信が通話による通話着信であるか、又はメールによるメール着信である。
【００２６】
この構成により、利用者が予知せずに発生する着信音再生を回避するので、静粛が必要とされる場所においての着信時に周囲の迷惑を回避して着信通知を認識することができる。
【発明の効果】
【００２７】
以上のように、本発明ではセンサで把持の判断をしないため、ある特定の把持の仕方をした場合に携帯端末が把持の認識できなくなることを回避し、周囲への着信音による迷惑防止と利用者の状況下における最適な着信通知の効果を高める。
【図面の簡単な説明】
【００２８】
【図１（ａ）】センサによる把持判断の課題（映像視聴時の把持方法）を表す外形図
【図１（ｂ）】センサによる把持判断の課題（両手での操作時の把持方法）を表す外形図
【図１（ｃ）】センサによる把持判断の課題（カメラ撮影・映像視聴時の把持方法）を表す外形図
【図１（ｄ）】センサによる把持判断の課題（カメラ撮影・映像視聴時の把持方法）を表す外形図
【図２（ａ）】本発明におけるストレート型携帯端末の外形概略図
【図２（ｂ）】本発明における２つ折り型携帯端末の外形概略図
【図２（ｃ）】本発明におけるスライド型携帯端末の外形概略図
【図３】本発明における携帯端末の内部回路ブロック図
【図４（ａ）】本発明における携帯端末の縦画面映像視聴時の表示部の外観図
【図４（ｂ）】本発明における携帯端末の横画面映像視聴時の表示部の外観図
【図４（ｃ）】本発明における携帯端末の横画面映像視聴時の表示部の外観図
【図５】本発明における携帯端末の着信通知方法のバイブレータへの切り替えを説明したフローチャート
【図６】本発明における携帯端末の着信通知方法の着信音再生への切り替えを説明したフローチャート
【図７】本発明における携帯端末のタイマによる着信音再生切り替えまでの所定時間設定を説明したフローチャート
【発明を実施するための形態】
【００２９】
以下に、本発明の実施の形態について、図面を参照しながら説明する。まず、本実施形態における携帯端末の構成に関して説明し、次に本実施形態における携帯端末の動作を参照のフローチャート（図５、図６、図７）を用いて説明する。
（携帯端末の構成）
図２は本発明の実施の形態における各携帯端末１の外形外略図である。
【００３０】
図２（ａ）は第１筐体１００、操作されるキー１０２、表示部１０３で構成されるストレート型携帯端末１を示した外形外略図である。
【００３１】
図２（ｂ）は第１筐体１００、第２筐体１０１、操作されるキー１０２、表示部１０３、前記第１筐体と前記第２筐体とを回動自在に連結するヒンジ部１０４で構成される２つ折り型携帯端末２を示した外形外略図である。
【００３２】
図２（ｃ）は第１筐体１００、第２筐体１０１、操作されるキー１０２、表示部１０３で構成されるスライド型携帯端末３を示した外形外略図である。
【００３３】
図３は前記各携帯端末（１、２、３）内部２００の構成外略図である。携帯端末内部２００は、通話による通話着信又はメールによるメール着信を行う無線通信部２０１と、スライド型携帯端末２又は２つ折り型携帯端末３の第１筐体と第２筐体の開閉を検出する開閉検出部２０２、キー操作を検出するキー操作検出部２０３、着信に応じて着信音を発生する発音体２０５、着信に応じて振動を発生するバイブレータ２０６、タイマ所定時間設定格納部２０７、前記無線通信部２０１と前記開閉検出部２０２と前記キー操作検出部２０３と前記発音体２０５と前記バイブレータ２０６とタイマ所定時間設定格納部と表示部１０４の制御を行う制御部２０４で構成され、制御部２０４の内部に時間をカウントするタイマ部２０８を、表示部１０４の内部に映像表示部２０９を内蔵する。なお、ストレート型携帯端末１には開閉検出部２０２を設けない。
【００３４】
図４は表示部１０４に映像を表示する映像表示部２０７の表示領域に関する図である。映像表示部２０７の表示領域は表示部１０４全体を利用しない映像表示領域の第１の表示領域３０１（図４（ａ）、図４（ｂ））と画面全体を表示する第２の表示領域３０２（図４（ｃ））がある。
（携帯端末の動作）
以下に、図5、図6、図7のフローチャートを用いて各携帯端末内部２００の制御部２０４による着信通知方法の切り替え動作を説明する。
【００３５】
まず、図5で着信通知をバイブレータ２０６に設定するフローを説明する。キー操作検出部２０３によるキー操作検出、又は開閉検出部２０２による携帯端末の開検出を制御部２０４が判断する（Ｓ１０１）。
【００３６】
制御部２０４による検出判断（Ｓ１０１でYes）後、バイブレータを作動させるように設定されているか判断し（Ｓ１０２）、バイブレータの設定が未設定であれば（Ｓ１０２でYes）、バイブレータ２０６を用いて着信を通知するように着信通知方法を設定する（Ｓ１０３）。なお、ストレート型携帯端末１の場合は開閉検出部２０２がないため、Ｓ１０１において、制御部２０４による開検出判断は行われない。よって、ストレート型携帯端末１の場合は開検出判断から着信通知方法をバイブレータ２０６に設定されることはない。
【００３７】
この構成により、キー操作時又は携帯端末が開いたことで利用者の手による把持と判断して、着信があるとバイブレータ２０６が振動し、把持する手を通じて振動を感知し着信を認識することができるので、新規にセンサ実装することなく、静粛が要求される場所における着信音による周囲への迷惑を回避して着信通知を認識することができる。
【００３８】
Ｓ１０３の後、バイブレータ２０６による着信通知を維持する前記所定時間を携帯端末の使用状況により設定し、タイマ所定時間設定格納部２０９に設定値を格納する（Ｓ１０４）。詳細は後述（下記図７の説明）とする。
【００３９】
所定時間設定後、時間をカウントするタイマ部２０８をカウントリセットし（Ｓ１０５）、カウントを開始させ（Ｓ１０６）、バイブレータ２０６による着信通知設定のフローを完了する。
【００４０】
次に、図6で着信通知を発音体２０５による着信音再生に設定するフローを説明する。前記タイマ部２０８によるタイマカウント値がタイマ所定時間設定格納部２０９に格納されている設定した前期所定時間以上であるか、又は、開閉検出部２０２による携帯端末の閉検出を制御部２０４が判断する（Ｓ１０７）。なお、ストレート型携帯端末１の場合は開閉検出部２０２がないため、制御部２０４による閉検出判断から着信通知方法を発音体２０５による着信音再生に設定されることをない。
【００４１】
制御部２０４による前記検出の判断（Ｓ１０７でYes）後、着信通知を着信音再生に設定し（Ｓ１０８）、タイマ部２０８のカウントを停止させ（Ｓ１０９）、着信通知を発音体２０５による着信音再生に設定するフローを完了する。
【００４２】
前記キー操作検出部２０３がキー操作を検出してから、又は前記開閉検出部２０２が開いたことを検出してから所定の時間経過更前は、利用者の手による把持と判断して、着信があるとバイブレータ２０６が継続的に振動し、バイブレータ２０６が断続的に振動することがないので、利用者は振動を認識しやすくなる。更に、携帯端末を開いた状態のまま利用者から離れた場所に携帯端末を放置した場合にも所定時間後には着信通知を着信音に制御部２０４が変更するので、把持と判断する携帯端末を開いた状態においても新規にセンサを実装せずに把持をしていないことを判断し、利用者は着信通知に気づかないことを回避することができる。
【００４３】
しかし、ワンセグなどの映像視聴時には電車の中などでキー操作なしで長時間把持していることが予想される。前記までの本発明による把持判断では、前記映像視聴時にはキー操作がないため所定時間経過し着信通知方法が発生体２０５による着信音再生に切り替わってしまう。そこで、映像視聴時には前記所定時間を変更できるようにする。
図7で所定時間の設定のフローを説明する。図7の開始はバイブレータ２０６による着信通知設定後であり、Ｓ１０４の所定時間設定の詳細フローである。制御部２０４は映像視聴中であるかを確認し（Ｓ１１０）、視聴していない場合（Ｓ１１０のNo）は所定時間を第１の所定時間に設定して（Ｓ１１４），所定時間設定のフローを完了する。映像視聴中であることを制御部２０４が判断した場合（Ｓ１１０のYes）、第１の所定時間よりも短い第２の所定時間に設定するのだが、前期映像表示部２０７の表示領域に応じて第２の所定時間を第３の所定時間、第４の所定時間に設定する。
【００４４】
第１の表示領域３０１の場合（Ｓ１０５のYes）、第２の所定時間を第３の所定時間に設定し、タイマ所定時間設定格納部２０９に格納する（Ｓ１１２）。
第２の表示領域３０２の場合（Ｓ１０５のNo）、第２の所定時間を第４の所定時間に設定し、タイマ所定時間設定格納部２０９に格納する（Ｓ１１３）。第４の設定時間は第３の設定時間よりも長いものとする。
【００４５】
以上で、所定時間設定のフローを完了する。
【００４６】
前記キー操作検出部２０３がキー操作を検出してから、又は前記開閉検出部２０２が開いたことを検出してから所定の時間経過更前は、利用者の手による把持と判断して、着信があるとバイブレータ２０６が継続的に振動し、バイブレータ２０６が断続的に振動することがないので、利用者は振動を認識しやすくなる。更に、端末を開いた状態のまま利用者から離れた場所に携帯端末を放置した場合にも所定時間後には着信通知を着信音に変更するので、把持と判断する端末を開いた状態においても新規にセンサを実装せずに把持をしていないことを判断し、利用者は着信通知に気づかないことを回避することができる。
【００４７】
また、テレビ番組情報などの文字情報閲覧や同時メール作成などが想定される第１の表示領域３０１使用時には、画面フルサイズでの視聴が想定される第２の表示領域３０２よりもキー操作をする頻度が高いので、着信通知方法を着信音再生に変更するまでの時間を表示領域によって制御するので、より正確に利用者の把持判断をして静粛が必要な場所においても着信時に着信音による周囲への迷惑を回避して着信通知を認識することができる。
【００４８】
なお、無線通信部２０１は通話着信であるか、又はメールによるメール着信を検知する。
【００４９】
利用者が予知せずに発生する着信音再生を回避するので、静粛が必要とされる場所においての着信時に周囲の迷惑を回避して着信通知を認識することができる。
【産業上の利用可能性】
【００５０】
着信通知方法の切り替えに関する本発明は、新たなデバイスを搭載することなく利用者の状況下における最適な着信通知を可能とし、着信音による周囲への迷惑防止を目的とする端末に有用である。
【符号の説明】
【００５１】
１    ストレート型携帯端末
２    ２つ折り型携帯端末
３    スライド型携帯端末
１００    第１筐体
１０１    第２筐体
１０２    キー
１０３    表示部
１０４    ヒンジ部
２００    携帯端末内部
２０１    無線通信部
２０２    開閉検出部
２０３    キー操作検出部
２０４    制御部
２０５    発音体
２０６    バイブレータ
２０７    映像表示部
２０８    タイマ部
２０９    タイマ所定時間設定格納部
３０１    第１の表示領域
３０２    第２の表示領域
【図１（ａ）】
2011139258.tif 000003
【図１（ｂ）】
2011139258.tif 000004
【図１（ｃ）】
2011139258.tif 000005
【図１（ｄ）】
2011139258.tif 000006
【図２（ａ）】
2011139258.tif 000007
【図２（ｂ）】
2011139258.tif 000008
【図２（ｃ）】
2011139258.tif 000009
【図３】
2011139258.tif 000010
【図４（ａ）】
2011139258.tif 000011
【図４（ｂ）】
2011139258.tif 000012
【図４（ｃ）】
2011139258.tif 000013
【図５】
2011139258.tif 000014
【図６】
2011139258.tif 000015
【図７】
2011139258.tif 000016